(57)【要約】【課題】部品点数を増やすことなく、取付部材の近傍に設けられた機構部の損傷を防ぐと共に、電子機器を小型化する。【解決手段】板金部材２０は一枚の板金から一体に形成され、被覆部２１と、根元部２３、３３から後方に延設された腕部２２、３２とを有する。腕部２２の根元部２３は連結部２７を介して被覆部２１に連結される。腕部２２の延設方向に平行に且つ連結部２７より後方に形成された切欠部２６によって、腕部２２はその根元部２３よりも後方の部分が被覆部２１に対して隔絶される。腕部２２の弾性によって、先端部２４の凸曲面部２５が回転軸１２ａを円弧状凹部８３に対して付勢する。取付部材１０の貫通ネジ穴部１０ａの上端が被覆部２１によって上方から覆われ、ネジ部４１を貫通ネジ穴部１０ａにねじ込んだ際には先端部４１ａが被覆部２１に当接し、ネジ部４１の挿入深さが規制される。【選択図】図４
2012118104.tif 000002
【特許請求の範囲】
【請求項１】
ネジ部が形成されたアクセサリを着脱可能な電子機器であって、
前記アクセサリの前記ネジ部が螺合可能で前記電子機器の本体の外側に開口した貫通形状のネジ穴部を備え、前記本体に固定される取付部材と、
回動軸を有し、前記本体に対して前記回動軸を中心に回動自在に配設される蓋体と、
根元部から片持ち状態に延設された腕部と、被覆部と、前記腕部の前記根元部と前記被覆部とを連結する連結部とを有して板金で一体に形成され、前記本体に固定される板金部材とを有し、
前記板金部材の前記被覆部は、前記取付部材の前記ネジ穴部を該ネジ穴部の開口側とは反対の側から覆い、前記ネジ部の端部が突き当たることによって該ネジ部の挿入深さを規制し、
前記板金部材の前記腕部には、その延設方向において前記根元部よりも先端部に近い位置に当接部が設けられ、前記板金部材は、前記当接部が前記蓋体の前記回動軸に係合することで、前記腕部の弾性によって前記当接部が前記回動軸を前記本体に対して付勢するように配設され、
前記板金部材には、前記腕部の延設方向に平行に且つ前記連結部より前記腕部の前記先端部の側に切欠部が形成され、該切欠部によって、前記腕部は前記根元部より前記先端部の側の部分が前記被覆部に対して隔絶されていることを特徴とする電子機器。
【請求項２】
前記腕部の延設方向に平行な方向において、前記腕部の前記先端部の反対側における前記切欠部の形成位置は、前記被覆部のうち前記アクセサリの前記ネジ部の前記端部が突き当たり得る位置に比べて前記腕部の前記先端部から遠いことを特徴とする請求項１記載の電子機器。
【請求項３】
前記回動軸は、前記蓋体が該回動軸を中心に回動して開閉動作する開閉位置と、前記蓋体が閉蓋状態でロックされるロック位置とに位置を可変に構成され、前記当接部は、前記開閉位置及び前記ロック位置のそれぞれにおいて前記回動軸を前記本体に対して付勢することを特徴とする請求項１または２記載の電子機器。
【請求項４】
前記蓋体は、バッテリ収容部を開閉するバッテリカバーであることを特徴とする請求項１乃至３のいずれか１項に記載の電子機器。
【発明の詳細な説明】
【技術分野】
【０００１】
本発明は、三脚等のアクセサリが着脱可能に装着される撮影装置等の電子機器に関する。
【背景技術】
【０００２】
従来、デジタルカメラやデジタルビデオカメラ等の撮像装置を始めとする電子機器においては、三脚等のアクセサリが着脱可能に装着される。例えば、撮像装置においては、機器の本体の底面に、三脚を取り付けるための取付部材が設けられものがあり、その取付部材には、三脚に設けられたネジ部を螺合するためのネジ穴部が形成されている。
【０００３】
一方、電池やバッテリを収納する電池室、あるいは撮像データを記録するためのメモリカードを収納するカード室も、外観上目立たない本体の底面に配置されることが多い。通常、電池室やカード室には蓋体（カバー）が設けられる。そのため、三脚用の取付部材と電池室やカード室の蓋体とは近接配置されることも多い。
【０００４】
また、三脚には、ネジ部の長さを自由に調整できるものがあり、操作者が誤ってネジ部の長さを取付部材のネジ穴部の長さよりも長く調整してしまった場合には、このネジ部をネジ穴部にねじ込んだ際に、ネジ部先端がネジ穴部の天井に突き当たる。力強くねじ込んだ場合は、ネジ穴部の天井のうちネジ部先端との当接部分が変形してしまうことがある。当接部分の変形が大きいと、機器の本体内において取付部材の近傍に設けられた機構部が損傷してしまうおそれがある。
【０００５】
これを解消するために、特許文献１では、取付部材とメインシャーシとの間に、ネジ穴部の奥側の端部を覆う受け部材を別途設け、三脚のネジ部が所定以上に挿入されることを回避している。
【先行技術文献】
【特許文献】
【０００６】
【特許文献１】特開２００４−３２５９８７号公報
【発明の概要】
【発明が解決しようとする課題】
【０００７】
しかしながら、特許文献１では、ネジ穴部の天井強度を保つための補強部材として受け部材を新たに設けなくてはならず、部品点数が増加すると共に組立工数も増加するという問題がある。また、近年、電子機器の小型化が進んでいる状況において、上記のような補強部材の配置スペースを確保すると、機器の小型化には不利となるという問題も生じる。
【０００８】
本発明は上記従来技術の問題を解決するためになされたものであり、その目的は、部品点数を増やすことなく、取付部材の近傍に設けられた機構部の損傷を防ぐと共に、小型化することが可能な電子機器を提供することにある。
【課題を解決するための手段】
【０００９】
上記目的を達成するために本発明の電子機器は、ネジ部が形成されたアクセサリを着脱可能な電子機器であって、前記アクセサリの前記ネジ部が螺合可能で前記電子機器の本体の外側に開口した貫通形状のネジ穴部を備え、前記本体に固定される取付部材と、回動軸を有し、前記本体に対して前記回動軸を中心に回動自在に配設される蓋体と、根元部から片持ち状態に延設された腕部と、被覆部と、前記腕部の前記根元部と前記被覆部とを連結する連結部とを有して板金で一体に形成され、前記本体に固定される板金部材とを有し、前記板金部材の前記被覆部は、前記取付部材の前記ネジ穴部を該ネジ穴部の開口側とは反対の側から覆い、前記ネジ部の端部が突き当たることによって該ネジ部の挿入深さを規制し、前記板金部材の前記腕部には、その延設方向において前記根元部よりも先端部に近い位置に当接部が設けられ、前記板金部材は、前記当接部が前記蓋体の前記回動軸に係合することで、前記腕部の弾性によって前記当接部が前記回動軸を前記本体に対して付勢するように配設され、前記板金部材には、前記腕部の延設方向に平行に且つ前記連結部より前記腕部の前記先端部の側に切欠部が形成され、該切欠部によって、前記腕部は前記根元部より前記先端部の側の部分が前記被覆部に対して隔絶されていることを特徴とする。
【発明の効果】
【００１０】
本発明によれば、部品点数を増やすことなく、取付部材の近傍に設けられた機構部の損傷を防ぐと共に、電子機器を小型化することができる。
【図面の簡単な説明】
【００１１】
【図１】本発明の一実施の形態に係る電子機器の外観斜視図である。
【図２】機器本体の底部の内部を斜め上方から見た斜視図である。
【図３】機器本体の底部を構成する部品の分解斜視図である。
【図４】板金部材の上面図である。
【図５】バッテリカバーの開蓋状態、閉蓋ロック状態を示す図２のＡ−Ａ線に沿う部分断面図である。
【図６】バッテリカバーの回転軸近傍の拡大断面図、機器本体の底部後部の拡大断面図である。
【発明を実施するための形態】
【００１２】
以下、本発明の実施の形態を図面を参照して説明する。
【００１３】
図１（ａ）、（ｂ）は、本発明の一実施の形態に係る電子機器の外観斜視図である。図１（ａ）、（ｂ）は、それぞれ、電子機器を斜め前方上方、斜め後方下方から見た図である。
【００１４】
この電子機器は、一例としてビデオカメラ１００として構成される。ビデオカメラ１００は、機器本体１に、撮影を行うためのレンズ部２と、記録中の画像を表示するための機器本体１に対して開閉自在な表示部３と、電源スイッチ４（図１（ａ））と、記録を開始するためのトリガボタン５（図１（ｂ））とを備える。以降、レンズ部２の光軸先端側を前側とし、後側にユーザの目が位置するとする。上下及び左右方向については、ビデオカメラ１００の使用状態においてユーザから見た方向で呼称する。例えば、図１（ｂ）では、ビデオカメラ１００の左側面、底面、背面が現れている。
【００１５】
機器本体１は、その左側面を覆うカバー６（図１（ａ））、右側面を覆うカバー７及び底面を覆うボトムカバー８０（図１（ｂ））を有し、これらのカバー類が機器本体１の一部を構成している。機器本体１の底面の後半部には、バッテリカバー（蓋体）１２が設けられている。
【００１６】
図１（ｂ）に示すように、ボトムカバー８０には、後述する取付部材１０の貫通ネジ穴部１０ａが底面側（外側）に開口している。この取付部材１０には、アクセサリとしての三脚４０が着脱可能に固定される。すなわち、貫通ネジ穴部１０ａには、三脚４０に設けられた雄ねじであるネジ部４１が螺合可能であり、ネジ部４１の先端部４１ａを貫通ネジ穴部１０ａに向けて挿入し、螺合することで、三脚４０が機器本体１に対して装着される。
【００１７】
図２は、機器本体１の底部の内部を斜め上方から見た斜視図である。図３は、機器本体１の底部を構成する部品の分解斜視図であり、斜め下方から見ている。
【００１８】
ボトムカバー８０の後部下側には、バッテリ９を収容するためのバッテリ収容部８８が形成されている（図３）。組み立て後においては、バッテリ収容部８８はバッテリカバー１２によって開閉自在に覆われる。バッテリカバー１２は回転軸１２ａを有し、回転軸１２ａを中心に回動することで開閉可能に構成されているが、その詳細な構成については後述する。
【００１９】
三脚４０を取り付けるための取付部材１０は、ボトムカバー８０の上側に配置される（図３）。取付部材１０には、図示しないメイン基板に電気的に接続されるバッテリ端子１１が取り付けられている。取付部材１０の上側に板金部材２０が配置される。板金部材２０の詳細も後述する。
【００２０】
電源スイッチ４（図１（ａ））を押すことで機器本体１に電源が投入され、トリガボタン５を押すと、レンズ部２を介して撮影が開始される。表示部３には記録中の画像が表示され、操作者（ユーザ）は表示画像を確認しながら、図示しないズームレバー等を操作することで動画等を撮影することが可能である。
【００２１】
図４は、板金部材２０の上面図である。図５（ａ）、（ｂ）は、図２のＡ−Ａ線に沿う部分断面図であり、それぞれバッテリカバー１２の開蓋状態、閉蓋ロック状態を示す。図６（ａ）、（ｂ）は、バッテリカバー１２の回転軸１２ａ近傍の拡大断面図、機器本体１の底部後部の拡大断面図である。
【００２２】
図５（ａ）、（ｂ）、図６（ａ）に示すように、ボトムカバー８０には、その上面側において、前後方向中間よりやや前方寄りに、受け部Ｕが形成される。受け部Ｕは、板金部材２０の後述する２つの腕部２２、３２の先端部２４、３４（図２、図４）に対応して形成されるが、形状は同じであるので、腕部２２に対応する受け部Ｕを代表して説明する。
【００２３】
図６（ａ）に示すように、ボトムカバー８０において、受け部Ｕは、前端面８４と後端面８５とを有して凹状に形成される。前端面８４と後端面８５との中間位置には、水平な水平部８１が形成される。水平部８１の前側には前端面８４に連接して円弧状凹部８２が形成され、水平部８１の後側には後端面８５に連接して円弧状凹部８３が形成される。
【００２４】
板金部材２０については、図４に示すように、一枚の板金から一体に形成される。板金部材２０は、可撓性乃至弾性を有する金属で構成される。板金部材２０は、被覆部２１を有し、被覆部２１の左側、右側に、それぞれ腕部２２、３２を有する。被覆部２１は水平な平板状であり、左右方向中間部の前部に、取付部材１０に固定されるための締結用穴２９が設けられる。腕部２２、３２はそれぞれ、根元部２３、３３から片持ち状態に後方に延設される。根元部２３、３３が、それぞれ連結部２７、３７を介して被覆部２１に連結される。
【００２５】
腕部２２、３２の延設方向に平行に且つ連結部２７、３７より腕部２２、３２の先端部２４、３４の側（後方）に切欠部２６、３６が形成されている。平面視において、切欠部２６、３６は、後方に開口したスリット状に形成される。切欠部２６、３６によって、腕部２２、３２は、その根元部２３、３３よりも後方の部分が被覆部２１に対して隔絶されている。すなわち、左右方向において、腕部２２、３２と被覆部２１との間には、切欠部２６、３６が介在するので、仮に被覆部２１に変形（撓みや部分変位）が生じても、それが直接的に腕部２２、３２に伝わることはない。変形は、連結部２７、３７を通じて迂回経路で伝わるため、被覆部２１の変形の影響が腕部２２、３２の特に先端部２４、３４にまでは及びにくくなっている。
【００２６】
腕部２２、３２には、それぞれ、機器本体１の一部であるボトムカバー８０に固定されるための締結用穴２８、３８が形成されている。腕部２２、３２の先端部２４、３４には、凸曲面部（当接部）２５、３５が形成されている。腕部２２、３２は左右対称であるので、先端部２４、３４については、代表して先端部２４の構成を説明する。
【００２７】
図６（ａ）に示すように、腕部２２は、後部の途中で下方に屈曲し、先端部２４がそれより前側部分から１段下がった段差を形成している。先端部２４は前後方向途中において下方に凸となるよう円弧状に湾曲しており、その円弧状の部分が凸曲面部２５となっている。凸曲面部２５は、ボトムカバー８０の受け部Ｕの水平部８１の上方において受け部Ｕ内に介在している。水平部８１と凸曲面部２５との間隔は、バッテリカバー１２の回転軸１２ａの直径よりも小さい。腕部２２、３２が締結用穴２８、３８にてボトムカバー８０に固定された状態では、腕部２２、３２の弾性により、締結用穴２８、３８の位置を支点として先端部２４、３４が上下方向に撓み得る。
【００２８】
組み付け時には、ボトムカバー８０の上に取付部材１０が配設され、取付部材１０の上に板金部材２０が配設される（図３）。取付部材１０は、ボトムカバー８０に対して底面側から不図示のネジで固定される。また、板金部材２０は、締結用穴２８、３８にてボトムカバー８０に螺着固定されると共に、締結用穴２９にて取付部材１０に螺着固定される。なお、締結固定の手法や態様は問わない。
【００２９】
組み付け状態においては、取付部材１０の貫通ネジ穴部１０ａの上端が、板金部材２０の被覆部２１によって上方から（貫通ネジ穴部１０ａの開口側とは反対の側から）覆われる。
【００３０】
一方、図５（ａ）、図６（ｂ）に示すように、バッテリカバー１２の前端部の内側には、係合爪１２ｂが形成されている。ボトムカバー８０の前端部には、係合爪１２ｂに対応して係合凹部８６が形成されている。
【００３１】
バッテリカバー１２の左右の回転軸１２ａ（図３も参照）は、受け部Ｕ内において、それぞれ腕部２２、３２の先端部２４、３４の下方に位置する。図６（ａ）で、先端部２４に対応するもので説明すると、バッテリカバー１２の開蓋状態（図５（ａ））においては、回転軸１２ａは、円弧状凹部８３の上に位置し、腕部２２の凸曲面部２５が回転軸１２ａに当接係合している（図６（ａ））。この状態では、腕部２２の弾性によって、凸曲面部２５が回転軸１２ａを円弧状凹部８３に対して付勢（押圧）している。状況によっては、それと同時に回転軸１２ａは後端面８５に対しても付勢される。従って、回転軸１２ａは、凸曲面部２５、円弧状凹部８３及び後端面８５によって回動自在に支持された状態となり、バッテリカバー１２が開閉動作可能となる。この状態における回転軸１２ａの位置が「開閉位置」である。
【００３２】
バッテリカバー１２を閉じるには、まず、バッテリカバー１２を閉じ方向（図５（ａ）の反時計方向）に回動させた後、バッテリカバー１２全体を前方に押してスライドさせる。その際、腕部２２の先端部２４が弾性変形により一時的に上方に変位し、回転軸１２ａが凸曲面部２５と水平部８１との間（図６（ａ）参照）を通過して前方に移動する。回転軸１２ａが凸曲面部２５を押しのけながら乗り越えるとき、回転軸１２ａからの反力によって、操作者に良好なクリック感が与えられる。スライド移動が完了すると、回転軸１２ａが円弧状凹部８２の上に位置すると共に（図５（ｂ））、バッテリカバー１２の係合爪１２ｂがボトムカバー８０の係合凹部８６に嵌合される（図６（ｂ））。
【００３３】
この状態では、腕部２２の弾性によって、凸曲面部２５が回転軸１２ａを円弧状凹部８２に対して付勢（押圧）する（図５（ｂ））。状況によっては、それと同時に回転軸１２ａは前端面８４に対しても付勢される。従って、回転軸１２ａは、凸曲面部２５、円弧状凹部８２及び前端面８４によって安定して支持され、バッテリカバー１２は閉蓋状態でロックされる閉蓋ロック状態となる。この状態における回転軸１２ａの位置が、「ロック位置」である。このように、回転軸１２ａは、開閉位置とロック位置とに位置が可変である。閉蓋ロック状態においては、ボトムカバー８０の下面とバッテリカバー１２の下面とは略面一になる（図５（ｂ））。
【００３４】
バッテリカバー１２を開蓋する際には、閉蓋操作と反対の行程を辿る。バッテリカバー１２の開蓋状態と閉蓋ロック状態との間の遷移において、腕部３２に対応する受け部Ｕにおいても、腕部２２に対応する受け部Ｕでの作用と同様の作用が並行して生じている。
【００３５】
かかる構成において、三脚４０を機器本体１に装着するには、三脚４０のネジ部４１を、その先端部４１ａから貫通ネジ穴部１０ａに向けて下方から挿入し、螺合する（図１（ｂ））。その際、ネジ部４１の長さが自由調整可能で、貫通ネジ穴部１０ａよりも長く設定されている場合が想定される。ここで、貫通ネジ穴部１０ａは貫通形状であり、且つ、貫通ネジ穴部１０ａの上端（奥側）が板金部材２０の被覆部２１に覆われている。そのため、ネジ部４１の長さが貫通ネジ穴部１０ａより長い場合であっても、ネジ部４１を貫通ネジ穴部１０ａにねじ込んだ際には先端部４１ａが被覆部２１の下面に当接し、ネジ部４１の挿入深さが所定深さに規制されることとなる。図４に、被覆部２１のうち先端部４１ａが突き当たり得る（想定される）当接位置Ｐ１０が示されている。被覆部２１は、ネジ部４１の挿入深さを規制し得るための剛性乃至板厚を有するものとする。
【００３６】
ねじ込み操作の力にもよるが、先端部４１ａが突き当たることで被覆部２１の当接位置Ｐ１０がある程度上方に撓む。しかしながら、上記したように、左右方向において、腕部２２、３２と被覆部２１との間に切欠部２６、３６が存在するため、腕部２２、３２の凸曲面部２５、３５の位置では被覆部２１の撓みの影響をほとんど受けない。これにより、凸曲面部２５、３５によるバッテリカバー１２の回転軸１２ａの付勢機能は常時維持され、開蓋状態または閉蓋ロック状態が安定して維持される。
【００３７】
特に、図４に示すように、腕部２２、３２の延設方向に平行な方向（前後方向）において、先端部２４、３４の反対側における切欠部２６、３６の形成位置Ｐ１は、当接位置Ｐ１０に比べて前方に位置し、先端部２４、３４から遠い。これにより、変形伝達の迂回経路である連結部２７、３７が当接位置Ｐ１０よりも十分に前方に位置するので、被覆部２１の変形が腕部２２、３２に一層影響しにくい。ちなみに、連結部２７、３７の前後方向の位置は締結用穴２９よりも後方である。
【００３８】
本実施の形態によれば、板金部材２０が、バッテリカバー１２の開蓋状態と閉蓋ロック状態との間の遷移とそれらの状態を安定化させる機能を有する。特に、板金部材２０において、切欠部２６、３６によって腕部２２、３２が被覆部２１から隔絶され、バッテリカバー１２の回転軸１２ａの支持機能をしっかりと果たす。それと共に、板金部材２０は、被覆部２１が、三脚４０のネジ部４１の先端部４１ａと当接してネジ部４１の挿入深さを規制する機能を果たし、機器本体１において取付部材１０の近傍に設けられた機構部の損傷を防ぐことができる。板金部材２０が２つの機能を兼ねるので、補強のための新たな部品を追加する必要がなく、ビデオカメラ１００を小型化することに寄与し、ひいては軽量化やコストダウンにも寄与する。
【００３９】
ところで、ネジ部が形成されたアクセサリとして三脚を例示したが、これに限らず、例えば、外付けストロボやリモコン受信機等であってもよい。また、電子機器としては、ビデオカメラ１００やデジタルカメラ等の撮像装置に限られず、携帯電話機、携帯テレビ等の通信端末装置であってもよい。また、機器本体１に対して開閉自在な蓋体としてバッテリカバー１２を例示したが、これに限らず、回動軸が腕部２２、３２の先端部２４、３４によって機器本体１に対して付勢されるものであればよい。例えば、メモリカードを収納するためのカード室を開閉する蓋体であってもよい。
【符号の説明】
【００４０】
１０  取付部材
１２  バッテリカバー
１２ａ  回転軸
２０  板金部材
２１  被覆部
２２、３２  腕部
２５、３５  凸曲面部
２６、３６  切欠部
２７、３７  連結部
４０  三脚
【図１】
2012118104.tif 000003
【図２】
2012118104.tif 000004
【図３】
2012118104.tif 000005
【図４】
2012118104.tif 000006
【図５】
2012118104.tif 000007
【図６】
2012118104.tif 000008